(57)【特許請求の範囲】
【請求項１】
精算機の本体と、
前記本体を地面に形成された基礎部に固定するためのベース部材と、
前記本体と前記ベース部材とを前記本体の周辺部分で連結する第１ボルトおよび第１ナットと、
前記本体の第１ボルトによる連結部分より内側に形成され地面に対してほぼ直交する方向に立設された本体側フランジと、
前記ベース部材に形成され本体側フランジに対応するように立設されたベース側フランジと、
前記本体側フランジと前記ベース側フランジとを連結する第２ボルトおよび第２ナットと、を備えており、
前記第１ボルトおよび第１ナットが装着されるねじ穴は、変形しやすい構造に形成されていることを特徴とする精算機の設置構造。
【請求項２】
前記第１ボルトおよび第１ナットが装着されるねじ穴は、十字状の切欠きが形成されていることを特徴とする請求項１に記載の精算機の設置構造。
【請求項３】
前記第１ボルトおよび第１ナットが装着されるねじ穴は、長穴状に形成されていることを特徴とする請求項１に記載の精算機の設置構造。
【請求項４】
前記第１ボルトおよび第１ナットは、前記第２ボルトおよび第２ナットより強度が弱く形成されていることを特徴とする請求項１から請求項３のいずれか一項に精算機の設置構造。
【発明の詳細な説明】
【技術分野】
【０００１】
本発明は精算機の設置構造に係り、特に、破損を防止して現金の盗難を確実に防止することを可能とした精算機の設置構造に関する。
【背景技術】
【０００２】
一般に、時間貸しの駐車場においては、所定時間駐車場を利用した利用者に対して精算を行うための精算機が設置されている。
【０００３】
このような精算機には、内部に現金が貯められていることから、精算機を壊して内部の現金を盗難するといった被害が続出している。
【０００４】
そのため、従来から、例えば、基礎部に固定される底板部と精算機の側面部に固定される側板部とを有する補強部材により、精算機とベース部材との間の固定部を補強して、精算機の破損を防止するようにした技術が開示されている（例えば、特許文献１参照）。
【先行技術文献】
【特許文献】
【０００５】
【特許文献１】特許第４３１８９７２号公報
【発明の概要】
【発明が解決しようとする課題】
【０００６】
しかしながら、前記特許文献１に記載の発明によれば、精算機自体の強度は増加するが、近年、例えば、精算機の外周にロープなどを掛け、このロープを自動車などで引っ張って精算機を倒すことにより、精算機を破損して盗難を行うといった被害があり、このような精算機の強度を増加したとしても、地面の基礎部に固定するためのアンカーボルトごと引きはがされて精算機が破損されてしまうおそれがあり、より一層確実な精算機の現金の盗難防止が望まれている。
【０００７】
本発明は前記した点に鑑みてなされたものであり、破損を防止して現金の盗難を確実に防止することのできる精算機の設置構造を提供することを目的とするものである。
【課題を解決するための手段】
【０００８】
前記目的を達成するために請求項１の発明に係る精算機の設置構造は、精算機の本体と、
前記本体を地面に形成された基礎部に固定するためのベース部材と、
前記本体と前記ベース部材とを前記本体の周辺部分で連結する第１ボルトおよび第１ナットと、
前記本体の第１ボルトによる連結部分より内側に形成され地面に対してほぼ直交する方向に立設された本体側フランジと、
前記ベース部材に形成され本体側フランジに対応するように立設されたベース側フランジと、
前記本体側フランジと前記ベース側フランジとを連結する第２ボルトおよび第２ナットと、を備えており、
前記第１ボルトおよび第１ナットが装着されるねじ穴は、変形しやすい構造に形成されていることを特徴とする。
【０００９】
請求項２に係る発明は、請求項１において、前記第１ボルトおよび第１ナットが装着されるねじ穴は、十字状の切欠きが形成されていることを特徴とする。
【００１０】
請求項３に係る発明は、請求項１において、前記第１ボルトおよび第１ナットが装着されるねじ穴は、長穴状に形成されていることを特徴とする。
【００１１】
請求項４に係る発明は、請求項１から請求項３のいずれか一項において、前記第１ボルトおよび第１ナットは、前記第２ボルトおよび第２ナットより強度が弱く形成されていることを特徴とする。
【発明の効果】
【００１２】
請求項１に係る発明によれば、本体とベース部材とを本体の周辺部分で第１ボルトおよび第１ナットにより連結するとともに、本体側フランジとベース側フランジとを第２ボルトおよび第２ナットにより連結するようにしているので、例えば、精算機の本体の周囲にロープなどを掛けて、このロープを強い力で引っ張った場合など、本体を引き倒そうとする力が加わった場合に、第１ボルトおよび第１ナットが固定されているねじ穴が変形しやすい構造を有しているので、ねじ穴が変形して第１ボルトが外れ、これにより、本体とベース部材とが外れてベース部材に対して本体が傾くことになり、本体に掛けたロープは外れやすくなる。一方、地面に対してほぼ直交する方向に立設された本体側フランジとベース側フランジとを固定する第２ボルトおよび第２ナットには、第２ボルトの軸方向と直交する方向への力が加わることになるため、第２ボルトと第２ナットとの締め付けが外れてしまうことがないので、本体の破損を防止して、精算機の現金の盗難を確実に防止することができる。
【００１３】
請求項２に係る発明によれば、第１ボルトおよび第１ナットが装着されるねじ穴を、十字状の切欠きが形成されるようにしているので、第１ボルトに力が加わった場合に、ねじ穴が変形して第１ボルトが外れ、本体を容易に傾かせることができる。
【００１４】
請求項３に係る発明によれば、第１ボルトおよび第１ナットが装着されるねじ穴を、長穴状に形成するようにしているので、第１ボルトに力が加わった場合に、ねじ穴が変形して第１ボルトが外れ、本体を容易に傾かせることができる。
【００１５】
請求項４に係る発明によれば、第１ボルトおよび第１ナットを、第２ボルトおよび第２ナットより強度が弱く形成するようにしているので、第１ボルトに力が加わった場合に、第１ボルトから破損させることができ、第１ボルトの外れにより本体を傾斜させることができるとともに、第２ボルトによる締め付けを強固に保持することができる。
【図面の簡単な説明】
【００１６】
【図１】本発明に係る精算機の設置構造の実施形態を示す概略構成図である。
【図２】本発明に係る精算機の設置構造の実施形態における本体とベース部材との結合状態を示す内部平面図である。
【図３】本発明に係る精算機の設置構造の実施形態における本体とベース部材との結合状態を示す内部正面図である。
【図４】本発明に係る精算機の設置構造の実施形態における本体とベース部材との結合状態を示す内部側面図である。
【図５】本発明に係る精算機の設置構造の実施形態におけるねじ穴の例を示す内部平面図である。
【図６】本発明に係る精算機の設置構造の実施形態におけるねじ穴の例を示す内部平面図である。
【図７】本発明に係る精算機の設置構造の実施形態における本体とベース部材との結合状態の変形例を示す内部平面図である。
【図８】本発明に係る精算機の設置構造の実施形態における本体とベース部材との結合状態の変形例を示す内部平面図である。
【図９】本発明に係る精算機の設置構造の実施形態における本体とベース部材との結合状態の変形例を示す内部平面図である。
【図１０】本発明に係る精算機の設置構造の実施形態における本体とベース部材との結合状態の変形例を示す内部正面図である。
【発明を実施するための形態】
【００１７】
以下、本発明の実施の形態について図面を参照しながら説明する。
【００１８】
図１は、本発明に係る精算機の設置構造の実施形態を示す概略構成図であり、本実施形態においては、精算機１は、四角柱状の本体２を有しており、本体２の下部には、図３に示すように、本体底板３が一体に固着されている。
図２から図４に示すように、本体底板３のほぼ中央部には、四角形状の本体開口４が形成されており、この本体開口４の両側縁には、本体開口４の両側縁に沿って延在する本体側フランジ５が上方に向かって立設されている。また、本体２の下部には、四角枠状のベース部材６が設けられており、ベース部材６には、ベース部材６の上面を閉塞するベース上板７およびベース部材６の下面を閉塞するベース底板８がそれぞれ一体に形成されている。ベース部材６のベース上板７のほぼ中央部の本体開口４に対応する位置には、ベース開口９が形成されており、ベース開口９の両側縁には、ベース開口９の両側縁に沿って延在し本体開口４を通って本体２の内部に位置するようにベース側フランジ１０が立設されている。
【００１９】
また、ベース部材６は、地面に設けられた基礎部１１の上面に設置されるようになっており、ベース部材６のベース底板８は、基礎部１１に打ち込まれたアンカーボルト１２を介して基礎部１１に固定されるように構成されている。また、本体２の本体底板３およびベース部材６のベース上板７の四隅には、ねじ穴１３（図９または図１０参照）が形成されており、本体２の本体底板３とベース部材６のベース上板７とは、ねじ穴１３を貫通する第１ボルト１４および第１ナット１５により締め付け固定されている。 
【００２０】
ここで、本実施形態においては、本体底板３に形成されたねじ穴１３は、第１ボルト１４の頭部が外れやすい構造となっている。具体的には、例えば、図９に示すように、ねじ穴１３をその外周部に十字状の切り込みを形成した形状に形成するようにしてもよいし、例えば、図１０に示すように、第１ボルト１４の頭部の径より大きい幅寸法を有する長穴形状に形成するようにしてもよい。このように構成することにより、本体２を傾斜させて本体２とベース部材６とを引き離すような力が加わり、第１ボルト１４および第１ナット１５部分に力が加わった場合に、本体底板３のねじ穴１３が変形して第１ボルト１４の頭部がねじ穴１３から抜けてしまうように作用するものである。
【００２１】
また、本実施形態においては、本体側フランジ５とベース側フランジ１０とは、本体側フランジ５とベース側フランジ１０とを貫通する第２ボルト１６および第２ナット１７により締め付け固定されている。このように構成することにより、本体２を傾斜させ本体２とベース部材６とを引き離すような力が加わり、第２ボルト１６および第２ナット１７部分に力が加わった場合に、第２ボルト１６の軸方向と直交する方向に力が加わることになるため、第２ボルト１６と第２ナット１７とが破損してしまうことを防止するように作用するものである。
【００２２】
なお、本体側フランジ５およびベース側フランジ１０の形状は、例えば、図５に示すように、本体開口４の周縁部全域に本体側フランジ５を形成し、ベース側フランジ１０を本体側フランジ５に対応するようにベース開口９の周縁部全域に形成するようにしてもよいし、図６に示すように、本体開口４の各辺の中央部分に本体側フランジ５を形成し、ベース側フランジ１０を本体側フランジ５に対応するようにベース開口９の各辺の中央部分に形成するようにしてもよい。また、図７に示すように、本体開口４の各辺の両端部分に本体側フランジ５を形成し、ベース側フランジ１０を本体側フランジ５に対応するようにベース開口９の各辺の両端部分に形成するようにしてもよいし、図８に示すように、本体開口４の両側縁に下方に向かって本体側フランジ５を形成し、ベース側フランジ１０を本体側フランジ５に対応するようにベース開口９の両側縁に下方に向かって形成するようにしてもよい。さらに、図示していないが、例えば、本体底板３およびベース上板７の中央部分に、１枚の本体側フランジ５およびベース側フランジ１０を形成するようにしてもよい。
【００２３】
また、本実施形態においては、第１ボルト１４の強度はアンカーボルト１２の強度より弱く、第２ボルト１６の強度はアンカーボルト１２の強度と同等かそれ以上の強度を有するように形成されており、本体２に力が加わった場合に、第１ボルト１４から破損するように構成されている。
【００２４】
次に、本実施形態の作用について説明する。
【００２５】
本実施形態においては、例えば、精算機１の本体２の周囲にロープなどを掛けて、このロープを強い力で引っ張った場合など、本体２を引き倒そうとする力が加わった場合に、第１ボルト１４および第１ナット１５が固定されているねじ穴１３が変形しやすい形状を有しているので、ねじ穴１３が変形して第１ボルト１４が外れることになる。これにより、本体２とベース部材６とが外れてベース部材６に対して本体２が傾くことになり、本体２に掛けたロープは外れやすくなる。なお、本体２に加わる力の強度によっては、第１ボルト１４がねじ穴１３から外れなくても、第１ボルト１４が破損することにより、本体２とベース部材６とが外れる場合もある。
【００２６】
一方、本体側フランジ５とベース側フランジ１０とを固定する第２ボルト１６および第２ナット１７には、剪断応力が大きい第２ボルト１６の軸方向と直交する方向への力が加わることになるため、第２ボルト１６と第２ナット１７との締め付けが外れてしまうことがない。そのため、本体２は傾斜するものの、本体２とベース部材６との連結は確保され、本体２がベース部材６から完全に外れてしまうことはない。
【００２７】
以上述べたように、本実施形態においては、本体２に傾斜する方向の力が加わった場合に、第１ボルト１４および第１ナット１５の連結は外れて本体２は傾斜するものの、第２ボルト１６および第２ナット１７による連結は強固に確保することができるので、本体２の破損を防止して、精算機１の現金の盗難を確実に防止することができる。
【００２８】
なお、本発明に係る精算機１の設置構造は、自動販売機や券売機など内部に現金が貯められるものであれば、いずれのものにも適用することができる。
【００２９】
また、本発明は前記実施形態に限定されるものではなく、本発明の趣旨に基づいて種々の変形が可能である。
【符号の説明】
【００３０】
１  精算機
２  本体
３  本体底板
４  本体開口
５  本体側フランジ
６  ベース部材
７  ベース上板
８  ベース底板
９  ベース開口
１０  ベース側フランジ
１１  基礎部
１２  アンカーボルト
１３  ねじ穴
１４  第１ボルト
１５  第１ナット
１６  第２ボルト
１７  第２ナット
【図１】
0005545724.tif 000002
【図２】
0005545724.tif 000003
【図３】
0005545724.tif 000004
【図４】
0005545724.tif 000005
【図５】
0005545724.tif 000006
【図６】
0005545724.tif 000007
【図７】
0005545724.tif 000008
【図８】
0005545724.tif 000009
【図９】
0005545724.tif 000010
【図１０】
0005545724.tif 000011